(57)【特許請求の範囲】
【請求項１】
対物レンズを保持するレンズホルダと、
フレームに対して該レンズホルダを揺動自在に支持すべく懸架させる複数のサスペンションワイヤと、
該レンズホルダに設けられた各サスペンションワイヤが接着される各固定部と
を備え、
各固定部の下面に突起部が設けられ、
該サスペンションワイヤと該固定部とを接着する接着剤が、該突起部まで回り込んだときに、該接着剤は、突起状を成すことを特徴とする光ピックアップの対物レンズ駆動装置。
【請求項２】
前記突起部の前記接着剤は、丸状に固められたことを特徴とする請求項１記載の光ピックアップの対物レンズ駆動装置。
【請求項３】
前記突起部は、矩形状に形成されたことを特徴とする請求項１又は２記載の光ピックアップの対物レンズ駆動装置。
【請求項４】
前記突起部は、前記レンズホルダの端子部と同一面に位置する前記下面に設けられたことを特徴とする請求項１〜３の何れか１項に記載の光ピックアップの対物レンズ駆動装置。
【請求項５】
前記レンズホルダは、液晶ポリマーにより成形されたことを特徴とする請求項１〜４の何れか１項に記載の光ピックアップの対物レンズ駆動装置。
【発明の詳細な説明】
【０００１】
【発明の属する技術分野】
本発明は、光ピックアップの対物レンズ駆動装置に関する。
【０００２】
【従来の技術】
光ピックアップの対物レンズ駆動装置は、光記録媒体の記録面上に光スポットとして集光させる対物レンズを備え、対物レンズを保持するレンズホルダにフォーカスコイルとトラッキングコイルとが巻回され、レンズホルダにおけるサスペンションワイヤを固定するための突出された固定部と、フォーカスコイルとトラッキングコイルとの始端と終端とが接続される端子部とが設けられ、固定部にサスペンションワイヤが貫通され、端子部にトラッキングコイルの始端と終端とが接続され、貫通面とサスペンションワイヤとが接着剤にて固定され、サスペンションワイヤの他端は、マグネットが配置されたフレームが取り付けられる取付板に固定されるように構成されている。
【０００３】
【発明が解決しようとする課題】
光学ピックアップで使用するレンズホルダにおいて、レンズホルダに設けられた端子に、サスペンションワイヤとフォーカスコイルとトラッキングコイルとの始端と終端のみを直接半田付けし支持する方式のものは、半田付け作業時の半田量のばらつき等によって、支点位置がずれることがある。その場合、ピッチング等不要な動きが発生する場合があるために、直接半田付けする支持部とは別にレンズホルダに一体に突出する固定部を設け、サスペンションワイヤを貫通させ接着することで支点位置を決定する方式がとられている。この時、貫通部に接着剤を塗布するのはサスペンションワイヤの周囲のみであるが、使用する接着剤の粘性や作業時間によっては、モールドの下面に接着剤が廻り込むことがある。しかし、硬化後の接着剤の表面には、特有のべとつきが残る場合があった。最近の光ピックアップは薄型化が進んでおり、モールド下面がレンズホルダ以外の部品例えばフレームと接触した場合に、貼付を起こしてレンズホルダの動きを阻害することがあった。
【０００４】
本発明は、斯かる問題を固定部の形状を改良することにより解決した光ピックアップの対物レンズ駆動装置を提供しようとするものである。
【０００５】
【課題を解決するための手段】
本発明の請求項１に係る光ピックアップの対物レンズ駆動装置は、対物レンズを保持するレンズホルダと、フレームに対して該レンズホルダを揺動自在に支持すべく懸架させる複数のサスペンションワイヤと、該レンズホルダに設けられた各サスペンションワイヤが接着される各固定部とを備え、各固定部の下面に突起部が設けられ、該サスペンションワイヤと該固定部とを接着する接着剤が、該突起部まで回り込んだときに、該接着剤は、突起状を成すことを特徴とする。
【０００６】
【発明の実施の形態】
図１は、本発明に係る光ピックアップの対物レンズ駆動装置の一実施形態を示す斜視図、図２は、光ピックアップの対物レンズ駆動装置の要部を示す断面図、図３は、図２の異なる状態の要部を示す断面図である。
【０００７】
対物レンズ１は、レンズホルダ２に保持されており、レンズホルダ２の側面全周にフォーカスコイル３が装着され、レンズホルダ２の平行な所定の各側面の両脇にそれぞれトラッキングコイル４が装着されている。
【０００８】
また、レンズホルダ２の対物レンズ１を挟んだ両側には、上下にそれぞれ弾性支持体となるサスペンションワイヤ５の一端が貫通部６ａにて固定される固定部６と、フォーカスコイル３及びトラッキングコイル４の端子をサスペンションワイヤ５に接続する端子部７とが突出して形成され、更に下部の固定部６には、突起６ｂが設けられている。
【０００９】
そして、４本の各サスペンションワイヤ５の他端は、後述するヨークとして作用する磁
気回路部を含むべく磁性材料で形成されるフレーム８の端部８ａに取り付けられた取付板９に、それぞれ固定される。
【００１０】
そのため、各サスペンションワイヤ５は、対物レンズ１を挟んでレンズホルダ２の両側にそれぞれ上下２本配置されて互いに平行に架設される。これにより、レンズホルダ２は、４本のサスペンションワイヤ５によってフレーム８に変位可能に弾性的に支持される。
【００１１】
一対のマグネット１０及び１１は、レンズホルダ２を挟んで同一磁極面（Ｎ極）が対向して配置されている。そして、各マグネット１０及び１１のＳ極の磁極面は、それぞれフレーム８と一体に形成された外部ヨーク１２及び１３に付設されている。各マグネット１０及び１１のＮ極の磁極面には、それぞれフレーム８と一体に形成された対向ヨーク１４及び１５が対向して配置されている。
【００１２】
マグネット１０及び１１から発生される磁束は、フォーカスコイル３及び各トラッキングコイル４の有効領域に作用する。フォーカスコイル３にフォーカスエラー信号を供給することにより、ディスクの信号面に光ビームを合焦させるフォーカス制御が行われるように、レンズホルダ２と共に対物レンズ１が駆動される。各トラッキングコイル４にトラッキングエラー信号を供給することにより、ディスクの信号トラックに光ビームを追従させるトラッキング制御が行われるように、レンズホルダ２と共に対物レンズ１が駆動される。
【００１３】
次に、このように構成された光ピックアップの対物レンズ駆動装置において、主要構成について、図１〜図３を用いて更に詳細に説明する。
【００１４】
レンズホルダ２は、底面が開放された矩形の箱状であり、液晶ポリマー材料による成形で、各固定部６と、端子部７と、フォーカスコイル３及び各トラッキングコイル４が装着される各装着部とが、一体的に形成されている。
【００１５】
そして、左右上下に設けられた固定部６の中で、下部に設けられた突起６ｂは、端子部７と同一面に位置する下面に矩形状に設けられている。サスペンションワイヤ５と、固定部６とは、図２に示す通り、サスペンションワイヤ５の周囲の接着剤６ｃにて接着されている。上述したように構成された固定部６で、もしも図２及び図３の通り接着剤の粘性や作業時間が長くなった場合、固定部６の下面に設けられた突起６ｂに接着剤６ｃが回り込む場合がある。もしも接着剤６ｃが突起６ｂまで回り込んだとしても、突起６ｂは、矩形状の突起として形成されているので、回り込んだ接着剤６ｃは、小さな突起状を成している。
【００１６】
図２は、レンズホルダが制御信号により制御されている状態で、ディスクの信号面に一番近づいた状態を示し、矢印Ａの距離は大きくなり、図３は、制御されない状態を示し、矢印Ａの距離は短くなる。図３に示す通り、フレーム８と、突起６ｂとは、近接している状態にある。図２，３に示す通り、突起６ｂ部の接着剤６ｃが丸状に固まっている。もしも接着剤６ｃが乾燥しているにもかかわらずべとつきがあっても、突起６ｂの先端は点になり、フレーム８との貼り付きはほとんど発生しない。
【００１７】
【発明の効果】
以上の如く、請求項１記載の発明によれば、対物レンズを保持するレンズホルダと、フレームに対してレンズホルダを揺動自在に支持すべく懸架させる複数のサスペンションワイヤと、レンズホルダに設けられた各サスペンションワイヤが接着される各固定部とを備え、各固定部の下面に突起部が設けられ、サスペンションワイヤと固定部とを接着する接着剤が、突起部まで回り込んだときに、接着剤は、突起状を成すので、従来の突起部が無
い場合において、固定部の下面の全面に接着剤が廻り込んだ場合、フレームに貼り付く場合があったが、接着剤の粘性が柔らかで、もしも接着剤が突起部まで回り込んでも丸い点の突起になるので、フレームに接触しても殆ど貼り付くことはない。
【００１８】
従って、レンズホルダの動作が阻害されることなく、フォーカスやトラッキング動作によるエラーが発生しない安定した動作が得られるという効果を有している。
【図面の簡単な説明】
【図１】  本発明に係る光ピックアップの対物レンズ駆動装置の一実施形態を示す斜視図である。
【図２】  光ピックアップの対物レンズ駆動装置の要部を示す断面図である。
【図３】  図２の異なる状態の要部を示す断面図である。
【符号の説明】
１    対物レンズ
２    レンズホルダ
５    サスペンションワイヤ
６    固定部
６ｂ  突起
６ｃ 接着剤
７ 端子部
８    フレーム
【図１】
0003851112.tif 000002
【図２】
0003851112.tif 000003
【図３】
0003851112.tif 000004